(57)【要約】【課題】仕切体を仕切体の厚さ方向の両側から固定することにより、仕切体を簡易に、かつ、強固に設置することを可能にすると共に、仕切体の設置後において仕切体と天井面等の間に隙間を生じさせることのない仕切体保持具および仕切体構造を提供する。【解決手段】建物空間Ｋにおいて対向する２面に取り付けられた第１台座２０および第２台座３０に取り付けられ、建物空間Ｋを仕切るための仕切体５０を保持する仕切体保持具４０であって、第１台座２０または第２台座３０に当接する当接片４２Ａと、当接片４２Ａの一端縁から起立する起立片４２Ｂと、を有する第１部材４２と、板体からなる第２部材４４と、を有し、当接片４２Ａの他端縁と第２部材４４の一端縁とが回転軸４６により連結された蝶番体に形成されていることを特徴とする仕切体保持具４０およびこれを用いた仕切体構造１０である。【選択図】図１
0003190051.tif 000002
【実用新案登録請求の範囲】
【請求項１】
建物空間において対向する２面に取り付けられた第１台座および第２台座に取り付けられ、前記建物空間を仕切るための仕切体を保持する仕切体保持具であって、
前記第１台座または前記第２台座に当接する当接片と、該当接片の一端縁から起立する起立片と、を有する第１部材と、
板体からなる第２部材と、を有し、
前記当接片の他端縁と前記第２部材の一端縁とが回転軸により連結された蝶番体に形成されていることを特徴とする仕切体保持具。
【請求項２】
前記第２部材には、
前記第１部材と共に前記仕切体を挟持する位置に回動させた状態において、前記仕切体と前記仕切体の保持面との間にくさびを打ち込むためのくさび用透孔が穿設されていることを特徴とする請求項１記載の仕切体保持具。
【請求項３】
建物空間において対向する２面に取り付けられた第１台座および第２台座と、
前記建物空間を仕切るための仕切体と、
前記第１台座および前記第２台座に取り付けられ、前記仕切体を保持する仕切体保持具と、を有し、
前記仕切体保持具は、
前記第１台座または前記第２台座に当接する当接片と、該当接片の一端縁から起立する起立片と、を有する第１部材と、
板体からなる第２部材と、を有し、
前記当接片の他端縁と前記第２部材の一端縁とが回転軸により連結された蝶番体に形成されていて、
前記仕切体は、前記起立片と前記第２部材とにより挟持された状態で固定されていることを特徴とする仕切体構造。
【請求項４】
前記第２部材には、
前記第１部材と共に前記仕切体を挟持する位置に回動させた状態において、前記仕切体と前記仕切体の保持面との間にくさびを打ち込むためのくさび用透孔が穿設されていることを特徴とする請求項３記載の仕切体構造。
【請求項５】
前記第１台座および前記第２台座には、前記仕切体保持具の回転軸部分を納める切欠部が形成されていることを特徴とする請求項３または４記載の仕切体構造。
【請求項６】
前記第１台座および前記仕切体保持具と、前記第２台座および前記仕切体保持具とをそれぞれ被覆するための化粧部材が前記第１台座および前記第２台座に取り付けられていることを特徴とする請求項３〜５のうちのいずれか一項に記載の仕切体構造。
【考案の詳細な説明】
【技術分野】
【０００１】
本考案は仕切体保持具および仕切体構造に関する。
【背景技術】
【０００２】
建物空間を必要に応じて仕切るための仕切体（パーティション）の取り付け構造の一例として、特許文献１に開示されているような構成が提案されている。
【先行技術文献】
【特許文献】
【０００３】
【特許文献１】特開２０００−１４４９８２号公報
【考案の概要】
【考案が解決しようとする課題】
【０００４】
特許文献１に開示されているパーティション（以下、仕切体という）の取り付け構造は、室内の天井面及び床面にＬ型金具を取り付け、仕切体の上フレーム材を天井面側のＬ型金具の垂直片にビス等の固定具によって固定するとともに、仕切体の下フレーム材を床面側のＬ型金具の垂直片にビス等の固定具によって固定することで、仕切体を天井面と床面とに跨るようにして建て込んだ取り付け構造である。特許文献１における仕切体の取り付け構造は、仕切体の厚さ方向の一方の面側に沿ってのみ仕切体を固定する垂直片が起立しているものであるため、居住者等が仕切体に衝突すると、衝突方向によっては仕切体がＬ型金具の垂直片から外れてしまうおそれがあるといった課題がある。
【０００５】
また、仕切体の厚さ方向の両側面に沿って垂直片を起立させた構成にすると、仕切体を設置する際に、仕切体は、仕切体の上端縁または下端縁をいずれか一方の垂直片の頂点を乗り越えるようにして設置しなければならず、天井面と床面との高さ寸法に対して仕切体の高さ寸法を大幅に低くしなければならない。このため、仕切体の設置後に仕切体の上端縁と天井面とに隙間が生じてしまい、外観上好ましくないばかりか、隙間風や音漏れが生じる等の実用上における不具合を生じるといった課題が残ってしまう。
【０００６】
そこで本考案は、仕切体を仕切体の厚さ方向の両側から固定することにより、仕切体を簡易に、かつ、強固に設置することを可能にすると共に、仕切体の設置後において仕切体と天井面等の間に隙間を生じさせることのない仕切体保持具および仕切体構造の提供を目的としている。
【課題を解決するための手段】
【０００７】
上記課題を解決するために本考案者は鋭意研究を行った結果、以下の構成に想到した。
すなわち、建物空間において対向する２面に取り付けられた第１台座および第２台座に取り付けられ、前記建物空間を仕切るための仕切体を保持する仕切体保持具であって、前記第１台座または前記第２台座に当接する当接片と、該当接片の一端縁から起立する起立片と、を有する第１部材と、板体からなる第２部材と、を有し、前記当接片の他端縁と前記第２部材の一端縁とが回転軸により連結された蝶番体に形成されていることを特徴とする仕切体保持具である。
【０００８】
この構成によれば、建物空間において対向する２面間に渡された仕切体を仕切体の厚さ方向の両面で仕切体保持具によって挟持させた状態にすることができるため、簡易かつ強固に仕切体を設置することができる。また、仕切体の高さ寸法を対向状態で設置された仕切体保持具の離間距離と同じ高さにすることができるため、仕切体設置後において仕切体と仕切体保持具との間に隙間が生じることがない。これにより、仕切体と仕切体保持具とに隙間が生じることによる不具合を防止することができる。
【０００９】
また、前記第２部材には、前記第１部材と共に前記仕切体を挟持する位置に回動させた状態において、前記仕切体と前記仕切体の保持面との間にくさびを打ち込むためのくさび用透孔が穿設されていることが好ましい。
【００１０】
これにより、仕切体保持具と仕切体との間にくさびを簡単に設置することができる。このようなくさびを設置した後にくさび部分を含めた仕切体と仕切体保持具との隙間部分にシール材を設置することにより、仕切体と仕切体保持具との隙間を確実に塞ぐことができる。これにより、仕切体と仕切体保持具との間に隙間が生じることによる密閉性の低下や、仕切体のがたつきの発生を防ぐことができる。
【００１１】
また、今考案においては、建物空間において対向する２面に取り付けられた第１台座および第２台座と、前記建物空間を仕切るための仕切体と、前記第１台座および前記第２台座に取り付けられ、前記仕切体を保持する仕切体保持具と、を有し、前記仕切体保持具は、前記第１台座または前記第２台座に当接する当接片と、該当接片の一端縁から起立する起立片と、を有する第１部材と、板体からなる第２部材と、を有し、前記当接片の他端縁と前記第２部材の一端縁とが回転軸により連結された蝶番体に形成されていて、前記仕切体は、前記起立片と前記第２部材とにより挟持された状態で固定されていることを特徴とする仕切体構造の考案もある。
【００１２】
この構成によれば、建物空間において対向する２面間に渡された仕切体を仕切体の厚さ方向の両面で仕切体保持具によって挟持させた状態にすることができるため、強固な仕切体を簡易に設置することができる。また、仕切体の高さ寸法を対向状態で設置された仕切体保持具の離間距離と同じ高さにすることができるため、仕切体と仕切体保持具との間に隙間が生じることによる密閉性の低下や、仕切体のがたつきの発生を防ぐことができる。
【００１３】
また、前記第１台座および前記第２台座には、前記仕切体保持具の回転軸部分を納める切欠部が形成されていることが好ましい。
【００１４】
これによれば、仕切体の設置部分において、第１台座および第２台座における仕切体保持具の納まりが良好になり、外観を向上させることができる。
【００１５】
また、前記第１台座および前記仕切体保持具と、前記第２台座および前記仕切体保持具とをそれぞれ被覆するための化粧部材が前記第１台座および前記第２台座に取り付けられていることが好ましい。
【００１６】
これにより、仕切体の設置部分における外観をさらに向上させることができる。
【考案の効果】
【００１７】
本考案にかかる構成を採用することにより、建物空間において対向する天井面と床面等の２面間に渡された仕切体を仕切体の厚さ方向の両面で挟持させた状態で取り付けすることができるため、仕切体を天井面と床面等の２面間に強固に設置することができ、居住者が配設した仕切体に不意に衝突等した場合であっても、仕切体が外れてしまうといった危険の回避が可能になる。
また、仕切体の高さ寸法を対向状態で設置された仕切体保持具の離間距離とほぼ同じ高さにすることができ、仕切体の設置は、仕切体を直立させた状態で仕切体保持具の上をスライドさせて行うことができるため、仕切体の設置を簡易に行うことができる。加えて仕切体の設置後においては、仕切体と仕切体保持具には隙間がなく、仕切体の設置後における仕切体のがたつきや音漏れ等の不具合の発生を防止することができる。
【図面の簡単な説明】
【００１８】
【図１】第１実施形態における仕切体保持具を用いた仕切体構造の側面図である。
【図２】第１実施形態における仕切体保持具の詳細図である。
【図３】第１実施形態における仕切体構造の設置中の状態を示す側面図である。
【図４】第１実施形態における仕切体構造の設置中の状態を示す側面図である。
【図５】第２実施形態における仕切体保持具を用いた仕切体構造の側面図である。
【図６】第２実施形態における仕切体保持具の詳細図である。
【考案を実施するための最良の形態】
【００１９】
（第１実施形態）
以下、本考案における仕切体保持具を用いた仕切体構造の実施形態について図面に基づいて具体的に説明する。
図１は第１実施形態における仕切体保持具を用いた仕切体構造の側面図である。図２は、第１実施形態における仕切体保持具の詳細図である。本実施形態においては、建物空間としての居住空間Ｋにおいて立設した仕切体５０を天井面Ｔ側と床面Ｙ側で保持する構成の仕切体構造１０に基づいて説明を行うものとする。
【００２０】
図１に示すように、本実施形態における仕切体構造１０は、天井面Ｔに取り付けられた第１台座２０と、床面Ｙに取り付けられた第２台座３０と、第１台座２０および第２台座３０にそれぞれ取り付けられた仕切体保持具４０，４０と、仕切体保持具４０，４０により挟持された状態で天井面Ｔと床面Ｙとの間に立設された仕切体５０を有している。
【００２１】
仕切体保持具４０について詳細に説明する。
仕切体保持具４０は、図１および図２に示すように、第１台座２０または第２台座３０に当接する当接片４２Ａと、当接片４２Ａから起立する起立片４２Ｂとを有し、略Ｌ字型をなす第１部材４２と、単純な板体からなる第２部材４４と、を有し、当接片４２Ａの一端縁に形成された軸挿通部４２Ｃと第２部材４４の一端縁に形成された軸挿通部４４Ｃに回転軸４６を挿通させることにより回動可能に連結された蝶番体に形成されている。回転軸４６は、一方の端部にフランジ部４６Ａが形成されていると共に、他方の端部には抜け止め用のストッパ４６Ｂが取り付けられている。本実施形態においては、第１部材４２の当接片４２Ａと、第２部材４４にそれぞれ係止用孔４２Ｄ，４４Ｄが穿設されている。
【００２２】
図３および図４を参照しながら本実施形態にかかる仕切体構造１０の設置手順について説明する。
まず、図３（Ａ）に示すように、天井面Ｔと床面Ｙとにおいて、仕切体５０を立設させるべき位置に位置合わせした状態で第１台座２０および第２台座３０を釘やネジ、接着剤等の公知の固定手段によって固定する。第１台座２０および第２台座３０は、仕切体５０の幅方向（すなわち、図３および図４内における紙面奥行き方向）に連続する長尺体であってもよいし、ブロック体状に形成して仕切体５０の幅方向（図３および図４の紙面奥行き方向）に沿って所要間隔をあけて複数配設してもよい。本実施形態では、第１台座２０および第２台座３０はそれぞれ木製であることを想定しているが、第１台座２０および第２台座３０の材料は特に限定されるものではない。
【００２３】
次に、図３（Ｂ）に示すように、仕切体保持具４０を第１台座２０および第２台座３０のそれぞれに取り付ける。仕切体保持具４０は、係止用孔４２Ｄの位置（図２参照）から釘４１を打ち込むことにより第１台座２０および第２台座３０に固定することができる。第１台座２０および第２台座３０に仕切体保持具４０を取り付けた後、仕切体保持具４０の第２部材４４の自由端部が天井面Ｔおよび床面Ｙ側となるように回動させた状態にする。天井面Ｔ側の第２部材４４が重力により垂れ下がった状態になることを防止するため、粘着テープ４３を用いて天井面Ｔに第２部材４４を仮固定しておけばよい。
【００２４】
図３（Ｂ）に示すように、仕切体５０の設置（立設）位置における両端部分は、第１台座２０および第２台座３０に取り付けられた仕切体保持具の当接片４２Ａによって平坦面に形成されているため、仕切体５０の高さ寸法は、対向する当接片４２Ａの内側離間寸法と同一寸法にすることができる。このようにして形成された仕切体５０は、天井面Ｔと床面Ｙに取り付けられたそれぞれの当接片４２Ａの対向面間を、図４（Ａ）に示すように矢印Ａに沿ってスライド移動させることで、仕切体５０を天井面Ｔと床面Ｙに取り付けられたそれぞれの当接片４２Ａの間に隙間なく設置させることができる。
【００２５】
仕切体５０の設置は、天井面Ｔ側に取り付けられた仕切体保持具４０の当接片４２Ａの下面および床面Ｙ側に取り付けられた仕切体保持具４０の当接片４２の上面を矢印Ａ方向に単純にスライドさせれば、それぞれの起立片４２Ｂに仕切体５０が当接し、仕切体５０のスライド移動が起立片４２Ｂによって規制されることになる。このようにして仕切体５０を位置決めした状態で設置することができるのである。仕切体５０を所定の位置に設置（立設）した後、天井面Ｔ側の仕切体保持具４０の第２部材４４の粘着テープ４３による仮固定を解除し、それぞれの仕切体保持具４０における第２部材４４を図４（Ａ）内の矢印Ｂ方向に回転させる。
【００２６】
天井面Ｔおよび床面Ｙに取り付けられた各々の仕切体保持具４０の第２部材４４を仕切体５０の起立面に当接させると共に、第２部材４４の係止用孔４４Ｄの位置（図２参照）において釘４１等の公知の係止方法で第２部材４４を仕切体５０に固定する。以上により図４（Ｂ）に示すように、居住空間Ｋ内に配設された仕切体５０を所定位置に位置決めされ、かつ、仕切体保持具４０によって挟持された状態で天井面Ｔと床面Ｙの間に固定された（取り付けられた）仕切体構造１０を得ることができる。
【００２７】
図４（Ｂ）に示す仕切体構造１０によれば、天井面Ｔと床面Ｙとの間に仕切体５０を設置した際に、仕切体５０と天井面Ｔとの間に隙間が生じることがなく、隙間による不具合を生じることがない。また、仕切体５０は居住空間Ｋを仕切って形成した空間のいずれにおいても他方の空間に向って仕切体５０を押し付ける等しても、仕切体保持具４０から仕切体５０が外れてしまうこともなく、強固な仕切壁として使用することができる点で好都合である。
【００２８】
（第２実施形態）
次に、本考案における仕切体構造１０の第２実施形態について説明を行う。本実施形態においては、第１実施形態に対応するそれぞれの構成については、第１実施形態で用いた部材番号を付すことによりここでの詳細な説明を省略している。
【００２９】
図５は、第２実施形態における仕切体構造の側面図である。図６は、第２実施形態における仕切体構造を構成する仕切体保持具の詳細図である。図５および図６から明らかなように、本実施形態における仕切体構造１０は、第１台座２０および第２台座３０の形状と、仕切体保持具４０が、仕切体保持具４０と仕切体５０との間にくさび６０が打ち込み可能に形成されている点、および化粧部材７０が取り付けられている点で第１実施形態と構成を異にしている。
【００３０】
第１台座２０および第２台座３０には、仕切体保持具４０の軸挿通部４２Ｃ，４４Ｃを納めるための切欠部２２，３２がそれぞれ形成されている。仕切体保持具４０は軸挿通部４２Ｃ，４４Ｃの位置が切欠部２２，３２の位置になるようにして第１台座２０および第２台座３０に取り付けられている。このような第１台座２０および第２台座３０を採用することで、第１台座２０および第２台座３０の設置範囲内に仕切体保持具４０を取り付けることができる。
【００３１】
このような構成を採用することにより、仕切体保持具４０，４０の間に仕切体５０を設置した後、第１台座２０および第２台座３０と仕切体保持具４０を被覆してこれらの構成を隠蔽する化粧部材７０を第１台座２０および第２台座３０に直接取り付けることができる。すなわち、化粧部材７０の形状を可及的に単純な形状にすることができ、化粧部材７０を低コストで提供することができる。このような化粧部材７０により、仕切体５０を後付けしても仕切体構造１０の外観状態を向上させることができる点において好都合である。
【００３２】
また、本実施形態における支持体保持具４０は、図６に示すように、起立片４２Ｂと共に仕切体５０を挟持させる状態となるように第２部材４４を回動させた際に、当接片４２Ａの仕切体５０の設置面と交差する第２部材４４の部位にくさび用透孔４８が穿設されている。このようなくさび用透孔４８を配設することにより、仕切体５０の設置を容易に行うために、第１実施形態の仕切体５０の高さ寸法よりも低くした仕切体５０を用いることができる。
【００３３】
この場合、仕切体５０の下面と仕切体保持具４０との間には隙間ができることになるが、くさび用透孔４８部分から仕切体保持具４０と仕切体５０の底面との間にくさび６０を打ち込むことができるため、設置後における仕切体５０のがたつきを防止することができる。これに加えて、仕切体保持具４０と仕切体５０との境界部分に図示しないシール材を施工することもできる。このようなシール材を施すことにより仕切体構造１０における密閉性を高めることができ、外観面においても仕切体構造１０の機能面においても好都合である。
【００３４】
以上に実施形態に基づいて今考案にかかる仕切体構造１０について詳細に説明をしたが、本考案は以上の実施形態に限定されるものではなく、考案の要旨を変更ない範囲において適宜構成を変更することができる。例えば、以上の実施形態における仕切体構造１０は、仕切体保持具４０の当接片４２Ａおよび第２部材４４にそれぞれ係止用孔４２Ｄ，４４Ｄが穿設されているが、係止用孔４２Ｄ，４４Ｄの構成は必須の構成ではなく、省略することもできる。化粧部材７０およびシール材の構成も必須構成ではないため、化粧部材７０およびシール材の配設を省略してもよい。
【００３５】
また、以上の実施形態においては、仕切体保持具４０を居住空間Ｋにおける天井面Ｔと床面Ｙとに互いに対向させた状態で配設した構成例について説明しているが、仕切体保持具４０を居住空間Ｋにおいて対向位置にある側壁面に第１台座２０および第２台座３０を介して取り付けした構成を採用することもできる。
さらには、建物空間は居住空間Ｋに限定されるものではなく、倉庫等の他の建物空間に対しても本考案にかかる仕切体保持具４０および仕切体構造１０を適用することができる。
【００３６】
また、本考案にかかる仕切体構造１０を建物空間に追加することによって、建物の強度を向上させることも可能になり、ひいては、建物の耐震性を高めることができる。このように、本考案にかかる仕切体構造１０が適用された建物によれば、建物空間に避難場所を構成することもできる点においてきわめて有用である。
【符号の説明】
【００３７】
１０  仕切体構造
２０  第１台座，２２  切欠部
３０  第２台座，３２  切欠部
４０  仕切体保持具，４２  第１部材，４２Ａ  当接片，４２Ｂ  起立片，４４  第２部材，４６  回転軸，
４８  くさび用透孔
５０  仕切体
６０  くさび
７０  化粧部材
Ｋ  居住空間（建物空間），Ｔ  天井面，Ｙ  床面
【図１】
0003190051.tif 000003
【図２】
0003190051.tif 000004
【図３】
0003190051.tif 000005
【図４】
0003190051.tif 000006
【図５】
0003190051.tif 000007
【図６】
0003190051.tif 000008